(57)【要約】【課題】浴槽およびカウンターに取り付けられるエプロンと浴槽およびカウンターの上端突出縁部との間の境界部に生じる歪みを目立たなくすることのできる浴槽およびカウンターのエプロンの取付構造を提供すること。【解決手段】洗い場フロア２０に浴槽３０と洗い場カウンター１７を並べて配置した。そして、洗い場フロア２０の支持部２１と浴槽３０の上端突出縁部３４との間に隙間を設けた状態でエプロン４０を取り付けた。また、洗い場フロア２０の支持部２１と洗い場カウンター１７の上端突出縁部１７ａとの間に、前記隙間と連続する隙間を設けた状態でエプロン１８を取り付けた。また、浴槽３０の上端突出縁部３４と洗い場カウンター１７の上端突出縁部１７ａとの境界線と、エプロン４０とエプロン１８との境界線とが同一線上に位置するように、または位置しないように設定した。さらに、凹部３５内にパイプ３８を設け、エプロン４０に係合部材４８を設けた。【選択図】  図１
2004236813.tif 000002
【特許請求の範囲】
【請求項１】
取付用縁部が設けられた床面に、前記取付用縁部に沿わせて浴槽とカウンターとを並べて設置し、前記取付用縁部と前記浴槽の側面の上端部に前方に向って突設された上端突出縁部との間に浴槽エプロンを取り付けるとともに、前記取付用縁部と前記カウンターの側面の上端部に前方に向って突設された上端突出縁部との間にカウンターエプロンを取り付けた浴槽およびカウンターのエプロン取付構造において、前記浴槽の上端突出縁部と前記浴槽エプロンとの境界部と、前記カウンターの上端突出縁部と前記カウンターエプロンとの境界部とに、連続する所定幅の隙間を設けたことを特徴とする浴槽およびカウンターのエプロン取付構造。
【請求項２】
前記浴槽の上端突出縁部と前記カウンターの上端突出縁部との境界線と、前記浴槽エプロンと前記カウンターエプロンとの境界線とが同一線上に位置するように設定されている請求項１に記載の浴槽およびカウンターのエプロン取付構造。
【請求項３】
前記浴槽の上端突出縁部と前記カウンターの上端突出縁部との境界線と、前記浴槽エプロンと前記カウンターエプロンとの境界線とが同一線上に位置せずずれた位置になるように設定されている請求項１に記載の浴槽およびカウンターのエプロン取付構造。
【請求項４】
前記浴槽の上端突出縁部と前記浴槽の本体部分との間および前記カウンターの上端突出縁部と前記カウンター本体部分との間に下面が開口した凹部を設けるとともに、前記浴槽エプロンおよび前記カウンターエプロンの上端部における表面側に水平面と垂直面とを有する切欠き部を設け、前記両上端突出縁部の下端部と、前記両切欠き部の水平面との間に前記隙間を形成した請求項１ないし３のうちのいずれか一つに記載の浴槽およびカウンターのエプロン取付構造。
【請求項５】
前記両凹部内に棒状体を、前記両凹部の長手方向に沿って設け、前記浴槽エプロンおよび前記カウンターエプロンの上端面に前記棒状体に着脱可能に係合する係合部材を設けた請求項４に記載の浴槽およびカウンターのエプロン取付構造。
【発明の詳細な説明】
【０００１】
【発明の属する技術分野】
本発明は、並べて設置された浴槽とカウンターの側面にエプロンを取り付けた浴槽およびカウンターのエプロン取付構造に関する。
【０００２】
【従来の技術】
従来から、浴槽を設置するための浴槽フロアとカウンターが設置される洗い場フロアとを接続するとともに、洗い場フロアの縁部と、浴槽の上端突出縁部およびカウンターの上端突出縁部との間にそれぞれエプロンを組み付けた浴室ユニットがある。このような浴室ユニットのエプロンは、エプロン内の配管の点検や修理等の際には取り外す必要があるため、ねじ等によって浴槽、カウンターおよび洗い場フロアから着脱可能に取り付けられている（例えば、特許文献１参照）。
【０００３】
【特許文献１】
特開２００２−２０９７７８号公報
【０００４】
【発明が解決しようとする課題】
前述した浴室ユニットのエプロンは、施工の際には、正確な位置に位置決めされた状態で取り付けられる。したがって、浴槽用エプロンの上端部と浴槽の側面における上端縁部との境界部およびカウンター用エプロンの上端部とカウンターの側面における上端縁部との境界部や、両エプロンの下端部と洗い場フロアの縁部との境界部は、殆ど歪みのない状態になっている。
【０００５】
しかしながら、使用者が点検等のために各エプロンを取り外し、再度、各エプロンの取り付けを行うと、前述した両境界部、特に、各エプロンの上端部と浴槽およびカウンターの側面における上端縁部との境界部に歪みが生じて見栄えが悪くなってしまう場合があるという問題が生じている。
【０００６】
【発明の概要】
本発明は、上記問題に対処するためになされたもので、その目的は、浴槽およびカウンターに取り付けられるエプロンと浴槽およびカウンターの上端突出縁部との間の境界部に生じる歪みを目立たなくすることのできる浴槽およびカウンターのエプロンの取付構造を提供することである。
【０００７】
上記の目的を達成するため、本発明にかかる浴槽およびカウンターのエプロン取付構造の構成上の特徴は、取付用縁部が設けられた床面に、取付用縁部に沿わせて浴槽とカウンターとを並べて設置し、取付用縁部と浴槽の側面の上端部に前方に向って突設された上端突出縁部との間に浴槽エプロンを取り付けるとともに、取付用縁部とカウンターの側面の上端部に前方に向って突設された上端突出縁部との間にカウンターエプロンを取り付けた浴槽およびカウンターのエプロン取付構造において、浴槽の上端突出縁部と浴槽エプロンとの境界部と、カウンターの上端突出縁部とカウンターエプロンとの境界部とに、連続する所定幅の隙間を設けたことにある。
【０００８】
前記のように構成した本発明の浴槽およびカウンターのエプロン取付構造によれば、床面の取付用縁部と、浴槽およびカウンターの上端突出縁部との間にそれぞれ取り付けられる各エプロンと浴槽およびカウンターの上端突出縁部との間に隙間が設けられるため、各エプロンが多少歪んで取り付けられていてもその境界部における歪みは目立ち難くなる。すなわち、各エプロンの上端部と浴槽およびカウンターの上端突出縁部との間が接触状態になっていると、少しの歪みが生じていてもその境界部の線が細くなったり太くなったりして目立ってしまい見栄えが悪くなり易い。しかしながら、境界部に予め隙間が設けられていれば、生じた歪みがその隙間に吸収されて目立ち難くなる。
【０００９】
また、本発明にかかる浴槽およびカウンターのエプロン取付構造の他の構成上の特徴は、浴槽の上端突出縁部とカウンターの上端突出縁部との境界線と、浴槽エプロンとカウンターエプロンとの境界線とが同一線上に位置するように設定されていることにある。これによると、浴槽の上端突出縁部と浴槽エプロンとの境界部と、カウンターの上端突出縁部とカウンターエプロンとの境界部とに連続する所定幅の隙間があるため、前記両境界線間にずれが生じていても目立たなくなる。
【００１０】
また、本発明にかかる浴槽およびカウンターのエプロン取付構造のさらに他の構成上の特徴は、浴槽の上端突出縁部とカウンターの上端突出縁部との境界線と、浴槽エプロンとカウンターエプロンとの境界線とが同一線上に位置せずずれた位置になるように設定されていることにある。これによると、両エプロン間にずれが生じていても目立たなくなる。
【００１１】
また、本発明にかかる浴槽およびカウンターのエプロン取付構造のさらに他の構成上の特徴は、浴槽の上端突出縁部と浴槽の本体部分との間およびカウンターの上端突出縁部とカウンター本体部分との間に下面が開口した凹部を設けるとともに、浴槽エプロンおよびカウンターエプロンの上端部における表面側に水平面と垂直面とを有する切欠き部を設け、両上端突出縁部の下端部と、両切欠き部の水平面との間に隙間を形成したことにある。
【００１２】
これによると、各エプロンの上端部を各凹部内に入れて、下端部を床面の取付用縁部に取り付けることにより各エプロンの取り付けが容易に行える。また、浴槽とカウンターの上端突出縁部の下端部と、各エプロンの切欠き部の水平面とで隙間が形成されるため、浴槽エプロンと浴槽およびカウンターエプロンとカウンターとの間に歪みが生じていてもその歪みは表面には表れなくなる。
【００１３】
また、本発明にかかる浴槽およびカウンターのエプロン取付構造のさらに他の構成上の特徴は、両凹部内に棒状体を、両凹部の長手方向に沿って設け、浴槽エプロンおよびカウンターエプロンの上端面に棒状体に着脱可能に係合する係合部材を設けたことにある。これによると、各エプロンの上端部と浴槽およびカウンターの上端突出縁部とを確実に係合することができ、各エプロンのがたつき等を防止することができる。
【００１４】
なお、各エプロンの下端部の取り付けは、床面の取付用縁部を上方に向って突出した突出片で構成し、突出片と各エプロンの下端部とを固定部材で固定することにより行える。これによると、各エプロンの下端部の取付用縁部への固定が容易になる。また、浴槽およびカウンターの上端突出縁部の表面を、各エプロンの表面よりも前方に突出させることもできる。これによると、各エプロンの上端部は、浴槽およびカウンターの上端突出縁部で隠れてしまい表面に表れなくなるため、歪みが生じていても分からなくなる。これによって、各エプロンの取付状態に歪みが生じていても見栄えが悪くなることはなくなる。
【００１５】
【発明の実施の形態】
以下、本発明の一実施形態を図面を用いて説明する。図１は、本発明にかかる浴槽およびカウンターのエプロン取付構造を備えた浴室１０を示している。この浴室１０においては、洗い場を形成する洗い場フロア２０と浴槽３０を設置するための浴槽フロア（図示せず）とが接続され、周囲に壁パネル１１ａ，１１ｂ，１１ｃ等が設けられている。そして、壁パネル１１ｂには、窓１２と手摺１３が設けられ、壁パネル１１ｃには洗面用具や入浴用具１４等を置くための棚１５が取り付けられている。
【００１６】
また、浴槽３０の上面周縁部３１における壁パネル１１ｃ側の手前側の角部には、浴槽３０内に湯や水を入れるための水栓１６が設けられている。そして、浴槽３０の手前における壁パネル１１ｃに沿った部分には、浴槽３０の上面周縁部３１と略等しい高さに設定された本発明のカウンターである洗い場カウンター１７が設けられている。洗い場カウンター１７は、洗面器等を置いて、洗面や体の洗浄をするために使用されるもので、壁パネル１１ｃにおける洗い場カウンター１７の上方には鏡やシャワー（図示せず）が設けられている。
【００１７】
浴槽３０に湯を溜めるための凹部３２は平面視が略楕円状に形成されており、浴槽３０の手前側の側面３３（図３参照）はその凹部３２の形状に沿った曲面に形成されている。そして、その側面３３の表面に沿って、曲面状の板からなる本発明の浴槽エプロンとしてのエプロン４０が取り付けられている。また、洗い場フロア２０における浴槽３０および洗い場カウンター１７側の縁部からは上方に向かった本発明の取付用縁部としての支持部２１が突出しており、この支持部２１によってエプロン４０は支持されている。
【００１８】
エプロン４０は、図２に示すように、浴槽３０の側面の一方の端部から洗い場カウンター１７の側面部の一部にかけて設けられている。そして、エプロン４０の上端部４１は、図３に示したようにして浴槽３０の上端突出縁部３４に支えられ、下端部４２は、図４に示した後述する固定部材２５，４５を介して支持部２１に固定されている。すなわち、上端突出縁部３４は、側面３３から突出した上面周縁部３１の延長部分３１ａと延長部分３１ａの先端から下方に垂れた垂下部３４ａとで構成され、側面３３との間に本発明の凹部である凹部３５を形成している。
【００１９】
また、エプロン４０の上端部４１は、表面側部分に切欠き部４１ａが設けられて、凹部３５内に出し入れ可能な薄肉の突起部に形成されている。そして、エプロン４０の下端部４２を支持部２１に取り付けたときには、切欠き部４１ａの上面（水平面）と垂下部３４ａの下端面との間には隙間が形成される。
【００２０】
支持部２１は、図４に示したように、エプロン４０の下方に位置して表面を構成する表面部２２と、表面部２２の上端縁部から後方に向って水平方向に延びる支持面部２３と、支持面部２３の後端縁部から上方に延びる垂直部２４とで構成されている。この垂直部２４は、接合用の突起として浴槽フロアとの接合に用いられる。そして、支持面部２３の上面に所定間隔を保って、複数個の固定部材２５がねじ２６を介して取り付けられている。
【００２１】
固定部材２５は、ねじ２６によって支持面部２３に固定される取付片２５ａと、取付片２５ａの前端縁部から上方に延びる垂直片２５ｂと、垂直片２５ｂの上端縁部から水平方向に後方に向って延びる幅狭の水平片２５ｃと、水平片２５ｃと同じ幅に形成され水平片２５ｃの後端縁部から垂直部２４に沿って上方に延びる固定片２５ｄとを備えている。そして、固定片２５ｄには、リング状の平座金２７が取り付けられている。また、垂直片２５ｂは、支持部２１の表面部２２よりもやや後方に位置している。
【００２２】
エプロン４０の下端部４２の表面には、凹部４３が設けられており、エプロン４０の取り付けや取り外しの際には、この凹部４３の上端に形成された段部に手を掛けて作業を行えるようになっている。また、下端部４２の裏面には、凹部４３よりも小さな（縦方向の長さが短い）凹部４４が設けられている。この凹部４４の周縁部は、下端部４２の下端面を支持面２３の上面に合わせたときに、垂直片２５ｂと水平片２５ｃとで形成される角部に係合する。
【００２３】
そして、下端部４２の裏面における凹部４４の上端の段部と凹部４３の上端の段部との間に対応する部分４２ａに固定部材４５が固定され、この固定部材４５にリング状の平座金４７が取り付けられている。この平座金４７は、下端部４２の下端面を支持面２３の上面に合わせ、凹部４４の周縁部を垂直片２５ｂと水平片２５ｃとの角部に係合させたときに、平座金２７と対向するように位置決めされている。
【００２４】
また、垂直部２４における平座金２７が取り付けられた部分および下端部４２における平座金４７が取り付けられた部分にはそれぞれ穴部が設けられており、平座金２７，４７にはねじ穴が設けられている。このため、ねじ（図示せず）を両穴部に通すとともに、両ねじ穴に螺合させることによって、下端部４２を支持部２１に固定できる。
【００２５】
また、洗い場カウンター１７の下方における表面部には、本発明のカウンターエプロンとしてのエプロン１８が取り付けられている。このエプロン１８は洗い場カウンター１７の縁部の形状に沿った曲面に形成されエプロン４０に連なって取り付けられている。エプロン１８の上端部および下端部の形状はエプロン４０と同様に構成されている。そして、支持部２１におけるエプロン１８が取り付けられる部分には、固定部材２５が取り付けられ、洗い場カウンター１７の縁部に設けられた上端突出縁部１７ａには、凹部３５と同様の凹部が設けられている。
【００２６】
エプロン１８の洗い場カウンター１７への取付構造は、エプロン４０の浴槽３０への取付構造と同様であるため詳しい説明は省略する。この場合、エプロン１８，４０および上端突出縁部１７ａ，３４の各境界部は、図５に示したようになっている。すなわち、上端突出縁部１７ａ，３４の下面は同一面内に位置するようになり、エプロン１８，４０の切欠き部１８ａ，４１ａの水平面は同一面内に位置するようになる。そして、上端突出縁部１７ａ，３４の境界線ａとエプロン１８，４０の境界線ｂとは同一線上から大きく離れた状態になっている。
【００２７】
この構成において、エプロン４０を浴槽３０の側面３３側に取り付ける際には、下端部４２や凹部４３の段部に手を掛けてエプロン４０を持ち上げ、上端部４１を凹部３５内に差し込む。ついで、下端部４２を押して支持部２１の上方に位置させた状態で、エプロン４０を下げながら凹部４４を固定部材２５に合わせて、下端部４２を支持部２１の支持面２３上に乗せる。
【００２８】
そして、平座金４７と平座金２７との位置を合わせて、下端部４２の表面側からねじを差し込んで平座金４７，２７に順次螺合させることにより、エプロン４０の取り付けが完了する。この場合、エプロン４０の上端部４１は、浴槽３０の側面３３と上端突出縁部３４とによって挟まれた状態で支えられ傾倒を防止される。また、上端部４１に設けられた切欠き部４１ａの上面と上端突出縁部３４の垂下部３４ａと上端突出縁部１７ａの下端面との間には隙間が形成されるため、エプロン４０の取り付けに多少の歪みが生じていても目立たなくなる。
【００２９】
また、洗い場カウンター１７にエプロン１８を取り付けるには、エプロン４０の取り付けと同様にして行う。そして、点検等のためにエプロン１８を取り外す必要が生じた場合には、ねじを外して、下端部４２と支持部２１との固定を解除する。ついで、凹部４３の段部に手を掛けて浴槽エプロン４０を持ち上げながら下端部４２を手前側に引き、凹部４４が支持部２１から離れたところでエプロン４０を洗い場フロア２０の上に置く。
【００３０】
そして、エプロン４０を洗い場フロア２０の上面における浴槽３０から離れた部分に移動させることによって、浴槽３０の側面３３や浴槽フロアが露呈し点検作業等を行うことができる。作業終了後は、前述した設置作業の際のエプロン４０の取り付けと同様の方法でエプロン４０を取り付ける。また、洗い場カウンター１７内を点検等するときにも同様にしてエプロン１８を取り外して行う。
【００３１】
このように、本発明にかかる浴槽およびカウンターのエプロン取付構造では、浴槽３０および洗い場カウンター１７の上端突出縁部３４，１７ａの下面とエプロン４０，１８の切欠き部４１ａ，１８ａの水平面との間に隙間が設けられているため、エプロン４０と上端突出縁部３４との間およびエプロン１８と上端突出縁部１７ａとの間に多少の歪みが生じていてもその歪みは目立ち難くなる。また、隙間によりデザイン的な演出効果も出るようになり、浴槽３０や洗い場カウンター１７の見栄えをも向上させることができる。さらに、別の効果として、浴槽３０、洗い場カウンター１７およびエプロン４０，１７を製造する際の設計寸法における許容誤差を大きく設定することができるようになり、これによって、製造が容易になったり、製造コストの低下が図れるようになったりする。
【００３２】
また、図６は、本発明の他の実施形態が備えるエプロン５１，５２および上端突出縁部５３，５４の各境界部を示している。すなわち、前述した実施形態と同様に、上端突出縁部５３，５４の下面は同一面内に位置するようになり、エプロン５１，５２の切欠き部５１ａ，５２ａの水平面は同一面内に位置するようになる。そして、上端突出縁部５３，５４の境界線ｃとエプロン５１，５２の境界線ｄとは同一面内に位置するようになっている。それ以外の部分の構成については前述した実施形態と同一である。これによっても浴槽や洗い場カウンターが見栄えのするものとなる。
【００３３】
本発明による浴槽のエプロン取付構造は、前述した各実施形態以外についても技術的範囲内で適宜変更実施が可能である。例えば、前述した実施形態では、エプロン４０，１８の上端部に切欠き部４１ａ，１８ａを設けて、薄肉になった上端部４１等を凹部３５等の内部に差し込むようにしているが、この構造を図７に示したようにすることもできる。
【００３４】
すなわち、図７では、上端部４１の上面に縦断面形状がコ字状の係合部材４８を開放側を上方に向けて取り付け、凹部３５内における延長部分３１ａの下面に、本発明の棒状体であるパイプ３８を取り付けている。係合部材４８は、上端部４１にねじ４９によって固定された固定片４８ａと、固定片４８ａの長手方向に沿った両縁部から上方に延びる係合片４８ｂ，４８ｃとで構成されており、係合片４８ｂ，４８ｃの上端開放部分は外側に向って広がっている。この係合片４８ｂ，４８ｃでパイプ３８を挟むことにより上端部４１は上端突出縁部３４に支えられる。これによると、上端部４１は上端突出縁部３４と確実に係合するため、エプロン４０はがたついたりすることなく支えられる。この場合、エプロン１８も同様の構成にする。また、その他、固定部材等や各部分の構成についても適宜変更実施が可能である。
【図面の簡単な説明】
【図１】本発明の一実施形態による浴槽のエプロン取付構造を備えた浴室の内部を示す斜視図である。
【図２】エプロンの取り付け状態を示す斜視図である。
【図３】エプロンの上端部と浴槽の上端突出縁部との係合状態を示す断面図である。
【図４】エプロンの下端部と支持部にそれぞれ取り付けられた固定部材を示す斜視図である。
【図５】エプロンと上端突出縁部との各境界部を示す正面図である。
【図６】他の実施形態によるエプロンと上端突出縁部との各境界部を示す正面図である。
【図７】さらに他の実施形態によるエプロンの上端部と浴槽の上端突出縁部とにそれぞれ取り付けられた係合部材を示す斜視図である。
【符号の説明】
１０…浴室、１７…洗い場カウンター、１８，４０，５１，５２…エプロン、１８ａ，４１ａ，５１ａ，５２ａ…切欠き部、２０…洗い場フロア、３０…浴槽、３１…上面周縁部、３１ａ…延長部分、３４，１７ａ，５３，５４…上端突出縁部、３４ａ…垂下部、３５，４４…凹部、３８…パイプ、４１…上端部、４２…下端部、４８…係合部材。
【図１】
2004236813.tif 000003
【図２】
2004236813.tif 000004
【図３】
2004236813.tif 000005
【図４】
2004236813.tif 000006
【図５】
2004236813.tif 000007
【図６】
2004236813.tif 000008
【図７】
2004236813.tif 000009